【事件の表示】
　特許第２９６５６２９号「押し出しウエザーストリップ、その製造方法及びその製造用押し出しヘッド」の請求項１〜７に係る特許に対する特許異議の申立てについて、次のとおり決定する。
【結　論】
　訂正を認める。
　特許第２９６５６２９号の請求項１〜６に係る特許を維持する。
【理　由】
１．手続の経緯
　本件特許第２９６５６２９号は、平成２年７月５日（優先権主張１９８９年７月５日　イタリア）に特許出願され、平成１１年８月１３日にその特許権の設定登録がなされ、その後、井上　盛夫（以下、「申立人」という。）より特許異議の申立てがなされ、取消理由通知がなされ、その指定期間内である平成１３年６月１日に訂正請求がなされたものである。
　
２．訂正の適否についての判断
　２の１．訂正の要旨
　ａ．訂正事項１
　特許請求の範囲の請求項１を削除すると同時に、請求項２〜７の項番号を順次、請求項１〜６に繰り上げる。
　ｂ．訂正事項２
　同請求項２（訂正前基準。以下、同様）における
　「第１項に記載のウエザーストリップを」
との記載を、
　「エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、ウエザーストリップ（１）を」
と訂正する。
　ｃ．訂正事項３
　同請求項２における
　「上記ダイ（１０）の押し出しオリフィス（１５）を…供給する一方、上記可動押し出し手段（１２）の…エラストマー材料流体を供給し、」との記載を、
　「上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した上記可動押し出し手段（１２）の円弧状オリフィス（３２）を介して外部に押し出すようにエラストマー材料流体を供給し、」
と訂正する。
　ｄ．訂正事項４
　同請求項３における
　「第１項に記載のウエザーストリップ押し出し成形用」
との記載を、
　「エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、ウェザーストリップ押し出し成形用」
と訂正する。
　ｅ．訂正事項５
　同請求項３における
　「第２押し出しオリフィス（３２）を有し、作動時、」
との記載を、
　「第２押し出しオリフィス（３２）を設け、かつ、上記可動部材（１２）における上記ダイ（１０）と対向する壁部に、上記第２オリフィス（３２）と連絡する、開口（３４）を設け、作動時、上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した上記可動押し出し手段（１２）の円弧状オリフィス（３２）を介して外部に押し出すようにエラストマー材料流体を供給した際、」
と訂正する。
　ｆ．訂正事項６
　同請求項４における
　「第３項記載の押し出しヘッド。」
との記載を、
　「第２項記載の押し出しヘッド。」
と訂正する。
　ｇ．訂正事項７
　同請求項５における
　「第４項記載の押し出しヘッド。」
との記載を、
　「第３項記載の押し出しヘッド。」
と訂正する。
　ｈ．訂正事項８
　同請求項６における
　「第３項記載の押し出しヘッド。」
との記載を、
　「第２項記載の押し出しへッド。」
と訂正する。
　ｉ．訂正事項９
　同請求項第７における
　「第３項〜第６項のいずれかに記載の押し出しヘッド。」
との記載を、
　「第２項〜第５項のいずれかに記載の押し出しヘッド。」
と訂正する。
　ｊ．訂正事項１０
　明細書の発明の詳細な説明の欄における（課題解決手段の要旨）項（本件特許公報３頁６欄１２〜１４行）における
　「増大又は低減せしめたことを特徴とする、上述した型式の押し出しウエザーストリップにより達成される。」
との記載を、
　「増大又は低減せしめた型式の押し出しウェザーストリップの製造方法及びその製造用押し出しへッドにより達成される。」
と訂正する。
　２の２．訂正の目的の適否、新規事項の有無及び拡張・変更の存否
　訂正事項１のうち、請求項１の削除は特許請求の範囲の減縮に該当し、前記他の請求項番号の繰り上げは、請求項１の削除に伴い必要となる、明りょうでない記載の釈明に相当する。
　訂正事項２、４、６〜１０は、請求項１の削除に伴い必要となる、明りょうでない記載の釈明に相当する。
　訂正事項３、５は、いずれも、発明の構成を特に第８図及び第１０図から把握される特定のものに限定する点で、特許請求の範囲の減縮に相当する。
　そして、上記訂正は、いずれも、実質上特許請求の範囲を拡張又は変更するものではなく、願書に添付した明細書及び図面に記載した事項の範囲内においてされたものである。
　２の３．むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．本件発明
　上記の結果、本件訂正後の請求項１〜６に係る発明（以下、訂正後の請求項ｍ（ｍ＝１〜６）に係る発明を、単に「発明ｍ」という。）は、全文訂正明細書及び図面の記載からみて、その特許請求の範囲の請求項１〜６に記載された以下のとおりのものである。
「【請求項１】エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、ウエザーストリップ（１）を押し出し成形するにあたり、
　同一面上に定着形材部（２）の断面形状に応じた形状を有する主開口（１６）及び該主開口（１６）から分岐する２つのアーム（１７）から成る、押し出しオリフィス（１５）を有するダイ（１０）を設け、
　上記ダイ（１０）の押し出しオリフィス（１５）に隣接するとともに管状封止形材部（４）の壁部末端部に応じた円弧状オリフィス（３２）を有する、可動押し出し手段（１２）を設け、
　上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した上記可動押し出し手段（１２）の円弧状オリフィス（３２）を介して外部に押し出すようにエラストマー材料流体を供給し、
　上記ダイ（１０）の押し出しオリフィス（１５）から分岐するアーム（１７）の末端部を遮蔽して該アームの伸長量を可変とし、
　上記ダイ（１０）の押し出しオリフィス（１５）の各アーム（１７）からの押し出し物の対応する長手方向縁部に上記可動押し出し手段（１２）のオリフィス（３２）からの押し出し物の長手方向縁部を接合することを特徴とする、ウエザーストリップの製造方法。
　【請求項２】エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、ウエザーストリップ押し出し成形用の押し出しヘッドであって、定着形材部（２）の押し出し主開口（１６）を含む押し出しオリフィス（１５）を備えた押し出しダイ（１０）を有する押し出しへッドにおいて、
　上記ダイ（１０）の押し出しオリフィス（１５）に設けられ、管状封止形材部（４）の両側壁の対応する近接部分を押し出しする主開口（１６）と連絡した２つのアーム（１７）、
　上記ダイ（１０）上に摺動可能に設けられ、該ダイ（１０）の押し出しオリフィス（１５）の両アーム（１７）の末端部を遮蔽して該アームの伸長を可変とする、可動部材（１２）、及び
　上記ダイ（１０）上の可動部材（１２）の一端部に形成され、管状封止形材部（４）の端壁部の円弧状末端部に対応する形状を有するとともに、上記ダイ（１０）のオリフィスのアーム（１７）の遮蔽を行う上記可動部材（１２）の一端面（１２ａ）で終端する、第２押し出しオリフィス（３２）を設け、かつ、上記可動部材（１２）における上記ダイ（１０）と対向する壁部に、上記第２オリフィス（３２）と連絡する、開口（３４）を設け、
　作動時、上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した上記可動押し出し手段（１２）の円弧状オリフィス（３２）を介して外部に押し出すようにエラストマー材料流体を供給した際、上記ダイ（１０）のオリフィスの両アーム（１７）からの押し出し物の長手方向縁部に上記可動部材（１２）のオリフィス（３２）からの押し出し物の長手方向縁部を溶着し、これにより上記ダイ（１０）のオリフィス（１５）に対する可動部材（１２）の位置に応じて断面寸法を変える、封止形材部を形成したことを特徴とする、押し出しへツド。
　【請求項３】更に、第１のダイ（１０）における可動部材（１２）と反対側の面に固定され、該ダイ（１０）のオリフィス（１５）の主開口（１６）に対応した形状の押し出しオリフィス（３１）を有する、第２のダイ（１１）を備え、両ダイ（１０）及び（１１）を互いに結合した際、第１のダイ（１０）のオリフィス（１５）の主開口（１６）と第２のダイ（１１）のオリフィス（３１）が一直線上に並ぶように配置し、
　上記第２のダイ（１１）のオリフィス（３１）及び第１のダイ（１０）の主開口（１６）を介して第１エラストマー材料を供給するとともに、上記第１のダイ（１０）のオリフィス（１５）の両アーム（１７）及び上記可動部材（１２）のオリフィス（３２）を介して第２エラストマー材料を供給する手段を設けた、第２項記載の押し出しヘッド。
　【請求項４】第１及び第２のダイ（１０、１１）間に、第１のダイ（１０）におけるオリフィス（１５）の両アーム（１７）に第２エラストマー材料を供給する、少なくとも１つの通路（２８〜３０）を設けた、第３項記載の押し出しヘッド。
　【請求項５】可動部材（１２）内に形成され、該可動部材（１２）のオリフィス（３２）と連絡するチャンバ（３３）、及び上記可動部材（１２）の一端面に形成され、該可動部材のオリフィス（３２）と連絡する開口（３４）を設け、
　上記開口３４からチャンバ（３３）を介してオリフィス（３２）に第２エラストマー材料を供給するようにした、第２項記載の押し出しヘッド。
　【請求項６】管状封止形材部の長手方向に沿って選定した位置に少なくとも１つの縦長の外タブを形成する手段（５０、５１、５２；３２ａ）を有する、第２項〜第５項のいずれかに記載の押し出しヘッド。」
　
４．特許異議の申立についての判断
　４の１．申立ての理由の概要
　申立人は、甲第１号証（特開平１−２４２２２５号公報。昭和６３年３月２４日に鬼怒川ゴム工業株式会社により出願された特願昭６３−７０４８８号（以下、「先願発明」という。）についての願書に添付された明細書及び図面（以下、「先願当初明細書」という。）の内容を表す。）、甲第２号証（特開昭６２−１２１０３０号公報）、甲第３号証（特開昭５９−１７１７３５号公報）、甲第４号証（特開昭６３−２８６３２１号公報）、甲第５号証（特開昭６３−１３２０２２号公報）、甲第６号証（米国特許第４０６７１４６号明細書）、甲第７号証（特開昭５９−７０５２８号公報）、甲第８号証（実開昭５９−８３５１９号公報）（以下、甲第ｎ号証を「甲ｎ」、該甲号証記載の発明を「甲ｎ発明」という。）を提出し、
　１）訂正前の請求項１〜７に係る発明は、甲１に示す先願当初明細書に記載された発明と同一の発明である（なお、甲３〜５は、訂正前の請求項６についての周知文献であり、甲６〜８は、同請求項７についての周知文献である。）から、訂正前の請求項１〜７に係る特許は、特許法第２９条の２の規定に違反してされたものであり、
　２）訂正前の請求項１に係る発明は、甲２発明と同一の発明であるか、少なくとも甲第２発明に基づいて当業者が容易に発明をすることができたものであるから、訂正前の請求項１に係る特許は、特許法第２９条第１項第３号、あるいは同法第２９条第２項の規定に違反してされたものである、
と主張する。
　４の２．当審の判断
　４の２の１．主張１）について
　以下、削除された請求項１に係る訂正前発明１を除く、訂正前請求項２〜７を母体とする発明１〜６についての特許性を判断する。
　１）甲１の記載内容
　ア．「ウエルト部に略Ｃ字状に中空シール部が付帯形成されるとともに、この中空シール部の突出長が部分的に変化しているウェザーストリップを押出成形する異形押出成形用口金構造において、上記ウエルト部に対応する吐出口を固定口金に貫通形成するとともに、この固定口金に対し一方向に移動可能な可動口金に、上記中空シール部に対応する略Ｃ字状の吐出口を形成し、かつこの略Ｃ字状の吐出口には、可動口金の移動方向に沿って形成された凹部を通して材料を一方向から供給するように構成したことを特徴とする異形押出成形用口金構造。」（特許請求の範囲）、
　イ．「通常の押出成形では同一断面形状の成形品が連続的に形成されるため、例えばウエルト部に中空シール部を付帯形成したウェザーストリップにあっては、中空シール部のウエルト部接続位置や突出長は固定的なものとなる。しかし、例えば車体開口部のコーナ部……に対応して、上記中空シール部の突出長を部分的に変化させることができれば、一層良好なシールが行える。」（１頁右下欄１０行〜２頁左上欄２行）、
　ウ．「上記固定口金１１は、第１図に示したように、互いに重ね合わさった円板状の第１固定口金１３および第２固定口金１４を有し、両者間にスポンジゴム用の材料通路部１５が形成されている。」（３頁右上欄１１〜１４行）、
　エ．「また第１、第２固定口金１３，１４の双方を貫通した形で、上記ウエルト部３に対応する断面形状の吐出口１６が形成されている。この吐出口１６は、押出成形機内部のソリッドゴム用の材料通路部１７に連通して……いる。」（３頁右上欄１４行〜同頁左下欄６行）、
　オ．「また、上記第１固定口金１３には、第３図に示すように、上記吐出口１６と略直交するような形で一対の吐出口１９，２０が平行な直線状に形成されている。……そして、この吐出口１９，２０の間に、スポンジゴム用の材料入口２１が開口形成されている。」（３頁左下欄７〜１４行）、
　カ．「上記第１可動口金２２および第２可動口金２３は、……一体となって移動するものであり、図示せぬガイド機構により固定口金１１の吐出口１９，２０に沿った方向に移動可能となっている。」（４頁左上欄６〜１０行）、
　キ．「上記の口金構成においては、……固定口金１１の吐出口１６から押し出されてくるソリッドゴム材料によってウエルト部３が所定断面形状に形成される。そして、固定口金１１の吐出孔１９，２０には、スポンジゴム材料が材料通路部１５から供給され、これによって中空シール部４の付根部分が形成される。一方、可動口金１２の略Ｃ字状吐出口３０には、固定口金１１の材料入口２１から第１可動口金２２の連通孔２５および凹部２９を通してスポンジゴム材料が供給され、これによって中空シール部４の主要部が形成される。勿論、各吐出口から押し出さた各部は、一体に接続した状態となり、これによって第９図に示したような断面形状のウェザーストリップ１が形成されるのである。」（４頁右上欄２行〜同頁左上欄１行）、
　ク．「そして、連続的に行われる押出成形の途中で、上記可動口金１２を第２図の矢印Ａ方向に移動すれば、吐出口１９，２０で形成される中空シール部４の付根部分の長さが長くなり、つまり中空シール部４の突出長……が増大する。また逆方向に戻せば、……突出長……は再び減少する。これによって、……突出長……を部分的に異ならせたウェザーストリップ１が成形できる。」（４頁左下欄２〜１０行）。
　ケ．順次、上記発明に係る口金構造の一実施例を示す第２図のＩ―Ｉ線に沿った断面図に相当する第１図（６頁左上欄）、該口金構造の斜視図に相当する第２図（同）、同じく分解斜視図に相当する第３図（６頁右上欄）及び該口金構造によって成形されるウェザーストリップの一例を示す断面図に相当する第９図（７頁上欄）。
　２）対比・判断
　ａ．発明１について
　発明１（前者）と甲１記載の先願発明（後者）とを対比すると、後者に係る「異形押出成形用口金構造」（前記ア参照）を用いてウェザーストリップを製造する方法に着目した場合、前記ア〜ケの記載から総合して、後者の前記「ウエルト部３」、「略Ｃ字状断面の中空シール部４」、「吐出口１６」、「吐出口１９，２０」、「第１固定口金１３」、「略Ｃ字状の吐出口３０」、「可動口金１２」、は、順次、前者の前記「定着形材部（２）」、「管状封止形材部（４）」、「主開口（１６）」「該主開口（１６）から分岐する２つのアーム（１７）」、「ダイ（１０）」、「円弧状オリフィス（３２）」、「可動押し出し手段１２」に相当するから、
　両者は、
　「エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、ウエザーストリップ（１）を押し出し成形するにあたり、
　同一面上に定着形材部（２）の断面形状に応じた形状を有する主開口（１６）及び該主開口（１６）から分岐する２つのアーム（１７）から成る、押し出しオリフィス（１５）を有するダイ（１０）を設け、
　上記ダイ（１０）の押し出しオリフィス（１５）に隣接するとともに管状封止形材部（４）の壁部末端部に応した円弧状オリフィス（３２）を有する、可動押し出し手段（１２）を設け、
　上記ダイ（１０）の押し出しオリフィス（１５）を介してエラストマー材料流体を供給する一方、上記可動押し出し手段（１２）の円弧状オリフィス（３２）を介してエラストマー材料流体を供給し、
　上記ダイ（１０）の押し出しオリフィス（１５）から分岐するアーム（１７）の末端部を遮蔽して該アームの伸長量を可変とし、
　上記ダイ（１０）の押し出しオリフィス（１５）の各アーム（１７）からの押し出し物の対応する長手方向縁部に上記可動押し出し手段（１２）のオリフィス（３２）からの押し出し物の長手方向縁部を接合する、ウエザーストリップの製造方法。」
に係る点で一致するものの、
　甲１（＝先願発明の出願当初明細書）には、前者の必須の構成である、
　「上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した上記可動押し出し手段（１２）の円弧状オリフィス（３２）を介して外部に押し出すようにエラストマー材料流体を供給」
するという構成について記載されていない。
　すなわち、前記のとおり、前者にあっては、可動押し出し手段（１２）の円弧状オリフィス（３２）を介するエラストマー材料流体の供給は、該可動押し出し手段（１２）における該ダイ（１０）と対向する壁部に形成された開口（３４）から該ダイ（１０）を押圧するようにして行われるところ、後者にあっては、前記第１〜３図からも明らかなとおり、前者の該「開口（３４）」に対応するものは存在しないから、当然、後者では、前者で特定された該「開口３４」を介したエラストマー材料流体の供給は生じ得ない。
　そして、甲１に該「開口３４」が記載されていないにもかかわらず、それが記載されているに等しいものと解すべき理由も見出せない。
　そうすると、該「開口３４」の有無の点で明確に構成の相違する前者と後者とは、同一の発明ということはできない。
　ｂ．発明２について
　発明２（前者）と前記先願発明（後者）とを対比すると、後者の前記「異形押出成形用口金構造」は、前者でいう「ウェザーストリップ押し出し成形用の押し出しヘッド」に相当する上、４の２の１のａで挙げた発明１と後者との構成要素の対応関係を踏まえた場合、
　両者（＝発明２と先願発明）は、
　「エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、ウエザーストリップ押し出し成形用の押し出しヘッドであって、定着形材部（２）の押し出し主開口（１６）を含む押し出しオリフィス（１５）を備えた押し出しダイ（１０）を有する押し出しへッドにおいて、
　上記ダイ（１０）の押し出しオリフィス（１５）に設けられ、管状封止形材部（４）の両側壁の対応する近接部分を押し出しする主開口（１６）と連絡した２つのアーム（１７）、
　上記ダイ（１０）上に摺動可能に設けられ、該ダイ（１０）の押し出しオリフィス（１５）の両アーム（１７）の末端部を遮蔽して該アームの伸長を可変とする、可動部材（１２）、及び
　上記ダイ（１０）上の可動部材（１２）の一端部に形成され、管状封止形材部（４）の端壁部の円弧状末端部に対応する形状を有するとともに、上記ダイ（１０）のオリフィスのアーム（１７）の遮蔽を行う上記可動部材（１２）の一端面（１２ａ）で終端する、第２押し出しオリフィス（３２）を有し、
　作動時、上記ダイ（１０）のオリフィスの両アーム（１７）からの押し出し物の長手方向縁部に上記可動部材（１２）のオリフィス（３２）からの押し出し物の長手方向縁部を溶着し、これにより上記ダイ（１０）のオリフィス（１５）に対する可動部材（１２）の位置に応じて断面寸法を変える、封止形材部を形成した、押し出しヘッド。」
に係る点で一致するものの、
　発明１について述べたところと同様、甲１（＝先願発明の出願当初明細書）には、前者の必須の構成である、
　「上記可動部材（１２）における上記ダイ（１０）と対向する壁部に、上記第２オリフィス（３２）と連絡する、開口（３４）を設け、作動時、上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入」
するようにした押し出しヘッドについて記載されていない。
　上記構成中の「開口（３４）」相当物が甲１に記載されておらず、それにもかかわらず、記載されているに等しいというべき根拠がないことは、発明１についての検討で既述のとおりである。
　してみると、該「開口３４」の有無の点で明確に構成の相違する前者と後者とは、同一の発明ということはできない。
　ｃ．発明３〜６について
　前記のとおり、発明３〜６は発明２を引用し、これを更に技術的に限定する関係にあるところ、前提たる発明２が先願発明と同一の発明といえないことは上記のとおりであるから、それと同じ理由により、訂正前の発明６〜７についての周知文献として提出されたにすぎない甲３〜８の記載内容について検討するまでもなく、発明３〜６も先願発明と同一の発明ということはできない。
　４の２の２．主張２）について
　前記の適法な訂正により、訂正前の請求項１は削除されたから、該請求項に係る発明の新規性乃至進歩性欠如を問題にする申立人の主張は、提示された甲２の内容を検討するまでもなく、もはや、理由のないものとなった。
　
５．むすび
　したがって、特許異議申立ての理由及び証拠によっては、請求項１〜６に係る特許を取り消すことはできない。
　また、他に請求項１〜６に係る特許を取り消すべき理由を発見しない。
　よって、結論のとおり決定する。
【異議決定日】
平成１３年８月９日（２００１．８．９）
【訂正の要旨】
　訂正の要旨
　ａ．訂正事項１
　特許請求の範囲の減縮及び明りょうでない記載の釈明を目的として、特許請求の範囲の請求項１を削除すると同時に、請求項２〜７を順次、請求項１〜６に繰り上げる。
　ｂ．訂正事項２
　明りょうでない記載の釈明を目的として、同請求項２（訂正前基準。以下、同様）における
　「第１項に記載のウエザーストリップを」
との記載を、
　「エラストマー材料で成る定着形材部（２）と、該定着形材部（２）と同時押し出しされるとともにその長さに沿って肉厚か実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子綾部（５）の臨界領域に対応する各部分で管状封止形材部（４）の横断寸法を増大又は低減せしめるとともにその肉厚を実質的に一定に１次成形される、ウエザーストリップ（１）を」
と訂正する。
　ｃ．訂正事項３
　特許請求の範囲の減縮を目的として、同請求項２における
　「上記ダイ（１０）の押し出しオリフィス（１５）を…供給する一方、上記可動押し出し手段（１２）の…エラストマー材料流体を供給し、」との記載を、
　「上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した上記可動押し出し手段（１２）の円弧状オリフィス（３２）を介して外部に押し出すようにエラストマー材料流体を供給し、」
と訂正する。
　ｄ．訂正事項４
　明りょうでない記載の釈明を目的として、同請求項３における
　「第１項に記載のウエザーストリップ押し出し成形用」
との記載を、
　「エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、ウエザーストリップ押し出し成形用」
と訂正する。
　ｅ．訂正事項５
　特許請求の範囲の減縮を目的として、同請求項３における
　「第２押し出しオリフィス（３２）を有し、作動時、」
との記載を、
　「第２押し出しオリフィス（３２）を設け、かつ、上記可動部材（１２）における上記ダイ（１０）と対向する壁部に、上記第２オリフィス（３２）と連絡する、開口（３４）を設け、作動時、上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した上記可動押し出し手段（１２）の円弧状オリフィス（３２）を介して外部に押し出すようにエラストマー材料流体を供給した際、」
と訂正する。
　ｆ．訂正事項６
　明りょうでない記載の釈明を目的として、同請求項４における
　「第３項記載の押し出しヘッド。」
との記載を、
　「第２項記載の押し出しヘッド。」
と訂正する。
　ｇ．訂正事項７
　明りょうでない記載の釈明を目的として、同請求項５における
　「第４項記載の押し出しヘッド。」
との記載を、
　「第３項記載の押し出しヘッド。」
と訂正する。
　ｈ．訂正事項８
　明りょうでない記載の釈明を目的として、同請求項６における
　「第３項記載の押し出しヘッド。」
との記載を、
　「第２項記載の押し出しヘッド。」
と訂正する。
　ｉ．訂正事項９
　明りょうでない記載の釈明を目的として、同請求項第７における
　「第１項〜第６項のいずれかに記載の押し出しヘッド。」
との記載を、
　「第２項〜第５項のいずれかに記載の押し出しヘッド。」
と訂正する。
　ｊ．訂正事項１０
　明りょうでない記載の釈明を目的として、明細書の発明の詳細な説明の欄における（課題解決手段の要旨）項（本件特許公報３頁６欄１２〜１４行）における
　「増大又は低減せしめたことを特徴とする、上述した型式の押し出しウエザーストリップにより達成される。」
との記載を、
　「増大又は低減せしめた型式の押し出しウエザーストリップの製造方法及びその製造用押し出しヘッドにより達成される。」
と訂正する。
（５４）【発明の名称】
押し出しウエザーストリップ、その製造方法及びその製造用押し出しヘッド
（５７）【特許請求の範囲】
（１）　
エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、
（１）
　同一面上に定着形材部（２）の断面形状に応じた形状を有する主開口（１６）及び該主開口（１６）から分岐する２つのアーム（１７）から成る、押し出しオリフィス（１５）を有するダイ（１０）を設け、
　上記ダイ（１０）の押し出しオリフィス（１５）に隣接するとともに管状封止形材部（４）の壁部末端部に応じた円弧状オリフィス（３２）を有する、可動押し出し手段（１２）を設け、
　上記ダイ（１０）の
内方から該ダイ（１０）の
外部に押し出すように
における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した
外部に押し出すように
　上記ダイ（１０）の押し出しオリフィス（１５）から分岐するアーム（１７）の末端部を遮蔽して該アームの伸長量を可変とし、
　上記ダイ（１０）の押し出しオリフィス（１５）の各アーム（１７）からの押し出し物の対応する長手方向縁部に上記可動押し出し手段（１２）のオリフィス（３２）からの押し出し物の長手方向縁部を接合することを特徴とする、ウエザーストリップの製造方法。
（２）　
エラストマー材料で成る定着形材部（２）と、該定着形材部（２）と同時押し出しされるとともにその長さに沿って肉厚が実質的に均一とされる、エラストマー材料で成る管状封止形材部（４）とを有し、コーナー部又は障害物の隣接部等の臨界領域を有する縁部、特に、自動車の車体における開口縁部又はそのような開口の閉鎖素子縁部（５）の臨界領域に対応する各部分で管状封止形材部（４）の横断寸法を増大又は低減せしめるとともにその肉厚を実質的に一定に１次成形される、
　上記ダイ（１０）の押し出しオリフィス（１５）に設けられ、管状封止形材部（４）の両側壁の対応する近接部分を押し出しする主開口（１６）と連絡した２つのアーム（１７）、
　上記ダイ（１０）上に摺動可能に設けられ、該ダイ（１０）の押し出しオリフィス（１５）の両アーム（１７）の末端部を遮蔽して該アームの伸長を可変とする、可動部材（１２）、及び
　上記ダイ（１０）上の可動部材（１２）の一端部に形成され、管状封止形材部（４）の端壁部の円弧状末端部に対応する形状を有するとともに、上記ダイ（１０）のオリフィスのアーム（１７）の遮蔽を行う上記可動部材（１２）の一端面（１２ａ）で終端する、第２押し出しオリフィス（３２）を
設け、かつ、上記可動部材（１２）における上記ダイ（１０）と対向する壁部に、上記第２オリフィス（３２）と連絡する、開口（３４）を設け、
　作動時、
上記ダイ（１０）の内方から該ダイ（１０）の押し出しオリフィス（１５）を介して外部に押し出すようにエラストマー材料流体を供給する一方、上記可動押し出し手段（１２）における上記ダイ（１０）と対向する壁部に形成された開口（３４）から該ダイ（１０）を押圧するようにエラストマー材料流体を装入するとともに上記ダイ（１０）の押し出しオリフィス（１５）と隣接した上記可動押し出し手段（１２）の円弧状オリフィス（３２）を介して外部に押し出すようにエラストマー材料流体を供給した際
（３）　更に、第１のダイ（１０）における可動部材（１２）と反対側の面に固定され、該ダイ（１０）のオリフィス（１５）の主開口（１６）に対応した形状の押し出しオリフィス（３１）を有する、第２のダイ（１１）を備え、両ダイ（１０）及び（１１）を互いに結合した際、第１のダイ（１０）のオリフィス（１５）の主開口（１６）と第２のダイ（１１）のオリフィス（３１）が一直線上に並ぶように配置し、
　上記第２のダイ（１１）のオリフィス（３１）及び第１のダイ（１０）の主開口（１６）を介して第１エラストマー材料を供給するとともに、上記第１のダイ（１０）のオリフィス（１５）の両アーム（１７）及び上記可動部材（１２）のオリフィス（３２）を介して第２エラストマー材料を供給する手段を設けた、第
２
（４）　第１及び第２のダイ（１０、１１）間に、第１のダイ（１０）におけるオリフィス（１５）の両アーム（１７）に第２エラストマー材料を供給する、少なくとも１つの通路（２８〜３０）を設けた、第
３
（５）　可動部材（１２）内に形成され、該可動部材（１２）のオリフィス（３２）と連絡するチャンバ（３３）、及び上記可動部材（１２）の一端面に形成され、該可動部材のオリフィス（３２）と連絡する開口（３４）を設け、
　上記開口３４からチャンバ（３３）を介してオリフィス（３２）に第２エラストマー材料を供給するようにした、第
２
（６）　管状封止形材部の長手方向に沿って選定した位置に少なくとも１つの縦長の外タブを形成する手段（５０、５１、５２；３２ａ）を有する、第
２
５
【発明の詳細な説明】
（産業上の利用分野）
　本発明は、縁部、例えば自動車の車体の開口縁部又はそのような開口の封鎖素子縁部等に適用するウエザーストリップ、さらに詳しくはエラストマー材料から成る定着形材部と、該定着形材部と同様にエラストマー材料から成り、壁厚が長手方向に沿って均一とされるとともに該定着形材部と同時押し出して形成される管状封止形材部とから構成される型式のウエザーストリップに関する。
（技術背景）
　本発明は、特に適用しようとする臨界領域を有する縁部に嵌合するようにした、上述した型式のウエザーストリップに関するものである。
　上記“臨界領域”とは、後記のことから明らかなように、例えば小さな曲率半径を有するコーナー部とか丁番等の障害物と直に隣接する縁部等を意味する。
　上記型式のウエザーストリップは、一般に押し出し時に定着形材部に組み込まれる金属コアを備えている。この金属コアは一般にストリップで構成され、該金属コアは押し出ししょうとするエラストマー材料と一緒に押し出しヘッドに供給される。押し出し後、そのような従来のウエザーストリップは、例えば添付図面の第１図及び第２図に示すような外観を有する。これらの図面において、ウエザーストリップの長尺体は概括的に１を付して示される。ウエザーストリップ１は固体エラストマー材料から成り、金属コア３を組み込んだ平坦状定着形材部と、該定着形材部２と同時に押し出して該定着形材部２と接続される、例えば気泡エラストマー材料から成る管状封止形材部４とから構成される。
　押し出し後適用前に、定着形材部は折り曲げて断面形状がＵ字形に成形される。適用時、ウエザーストリップは開口縁部、例えば自動車の車体のアクセス開口の縁部に適用され、該定着形材部は第３図に概略的に示すように該縁部を把持する。第３図は自動車の車体５の開口部分を示し、該開口の縁部６に上述した通常型式のウエザーストリップ１が嵌め込まれる。第３図に、更に詳しく開口の縁部のコーナー部を示す。第３図に見られるように、開口のコーナー部にウエザーストリップの定着形材部を当該開口の縁部の湾曲部に嵌め合わせることができる。比較的弾性を有する管状封止形材部４は第４図に示すようにコーナー領域において変形される傾向がある。この第４図に見られるようにコーナー領域において管状形材４は“コーナー部をカット（ｃｕｔ）する”、即ち該縁部の曲率半径よりも大きな曲率半径を有する開口縁部の湾曲部に追従する傾向があり、さらにまずいことはこの管状形材部が平坦化される。コーナー領域における管状封止形材部の理想的な姿態を第４図中破線で示す。
　上述した変形を生じると、管状封止形材部のみによる開口のコーナー領域での完全な封止を確保出来ない。
　上記従来型式のウエザーストリップは自動車の車体における開口に組み合わされる、例えばドア等の閉鎖素子の周辺部に取り付ける際、上述したと同様の問題が生じる。
　上述した従来型式のウエザーストリップの欠点は既に認識されており、従前の特許技術事項を改良した発明によって問題の一部は解決された。
　ウエザーストリップを取り付けようとする縁部における曲がり部又はコーナー部に応じてその管状封止形材部が平坦化されるという問題を解決するため、米国特許第４０６７１４６号は当該ウエザーストリップを取り付けようとする縁部の臨界領域に対応する封止形材部の各部分を包含する、該封止形材の末端部の外面から突出する一連の封止タブを同時押し出し成形することを提案している。
　この解決方法は、封止形材部がある領域に一連のタブを有し、当該ウエザーストリップの残りの部分に存在しないので、必ずしも審美的見地から許容し難いものであった。さらに、この解決方法はタブを付加することにより増大しようとする封止形材部の有効部分のみならず、これを必要としない部分を低減させることができない。
　一方、ヨーロッパ特許第０１１５７５０号は、押し出し時ウエザーストリップの封止形材部における当該ウエザーストリップを取り付けようとする縁部の臨界領域に対応する部分の肉厚を変えることを提案している。この厚みの変更は封止形材部の横断寸法を変えないようにして行われる。このように封止形材部の肉厚を局部的に増大又は低減せしめる方式の解決方法は当該封止形材部の平坦化又はバルジ形化を補償するのに必ずしも十分であるとはいえない。更に、封止形材部の肉厚を大きくすることは、いわゆる自動車のドアーの閉鎖負荷を変更することとなる。
　ヨーロッパ特許第０１１６２６４号は、ウエザーストリップを取り付けようとする縁部の臨界領域に応じて曲線に沿って定着形材部に封止形材部を接続させて押し出すことを提案している。実際、この解決方法は、ウエザーストリップを取り付けようとする開口縁部のアングル部及び曲線部に該曲線を“カット（ｃｕｔ）”する傾向もなく封止形材部を良好に嵌め合わせることが出来る。しかしながら、この解決方法は縁部の臨界領域に応じて封止形材部が平坦化されるという問題を解決することが出来なかった。
（解決しようとする課題）
　本発明の目的は、上述した種々の問題、特にウエザーストリップを取り付けようとする縁部の臨界領域に応じて封止形材部が平坦化又はバルジ形化される問題を完全に解決する、上記型式のウエザーストリップを提供することにある。
（課題解決手段の要旨）
　本発明によれば、上記目的は縁部の臨界領域に適用しようとするウエザーストリップの各部分で肉厚を実質的に一定として管状封止形材部の横断寸法を増大又は低減せしめ
た
の製造方法及びその製造用押し出しヘッド
　本発明の種々の特徴及び利点はそれに限定することなく一実施例として示す添付図面とともに以下に説明する。
（実施例）
　第５図に示すように、本発明のウエザーストリップ１は、実質的に先行技術に従って製作された、例えば固体エラストマー材料から成る定着形材部を形成し、該定着形材部２に、それと同時に押し出しした例えば発泡エラストマー材料から成る管状封止形材部４が接続される。更に詳しくは、第５図〜第７図から分かるように、本発明に従って例えば第３図に示すような姿態の開口縁部のコーナー部に適用しようとするウエザーストリップ１の各部分はより大きな横断寸法を有し、実質的に均一な壁厚を有する管状封止形材部４を有する。このように横断寸法をより大きくした封止形材部４は当該ウエザーストリップの曲がりに基づくその圧し潰しを補償する。
　この発明のウエザーストリップの封止形材部４の横断寸法は縁部又はフランジに帯状に取り付けようとするウエザーストリップにおいて、縁部又はフランジと使用時該封止形材部と接触するように組み合わされるドア縁部との間隔が厳密に一定寸法でないと見込まれる部分で増大させ又は周辺に応じて減少させてもよいことがわかる。この封止形材部の横断寸法を局部的に変化させることはそのような状態におけるスペースの変動又は不規則性を補償することができる。押し出し後、第５図〜第７図に示すウエザーストリップの定着形材部２はまた従来形式のウエザーストリップと同様Ｕ字形に曲げられる。
　第８図〜第１０図に本発明のウエザーストリップを製造する押し出し機の一実施例を示す。
　第８図〜第１０図に示す実施例において、押し出しヘッドは実質的にカップ形の外ダイ１０と、該外ダイ１０内に挿入される、実質的にビーカー形の内ダイ１１を含む。
　上記外ダイ１０の外前面で内ダイ１１と反対側の面に可動部材１２が装着される。該可動部材は外ダイ１０に固着された２つのガイド１３及び１４間を摺動可能とする。
　外ダイ１０は概括的に１５を付して示す押し出しオリフィスを有する。このオリフィスは主開口１６を含み、該主開口の形状は押し出ししようとするウエザーストリップの定着形材部２の断面形状と対応した形状とされる。また、外ダイ１０のオリフィス１５は２つのアーム１７を有し、該アームは主開口１６と連絡するとともに該主開口と同一面から延びている。後述することからより明らかにされるように、オリフィス１５のアーム１７は本発明のウエザーストリップの封止形材部４の側壁における対応する近接端部の押し出しを行うことができる。
　特に第９図及び第１０図に示すように外ダイと対向する面に、内ダイは平坦な実質的に円形端面１８と窪んだ平坦面１９を有し、それらの面１８及び１９間にほぼ直径にわたる段部２０が形成される。２１を付して示される円弧周辺突部が窪んだ面１９を部分的に包囲し、その高さ寸法は隆起面１８の高さ寸法と同等とされる。第９図中２２及び２３を付して示す２つの通路が突部２１の端部と段部２０の端部間に形成される。
　内ダイ１１は実質的に円筒状スカート部分２４を有する。該スカート部分２４の外径は外ダイ１０の包囲スカート部分２５の内径よりも小さくされる。内ダイ１１の端面部に隣接して、該内ダイ１１のスカート部分２４は同一円弧に沿って延びる２つの突部２６及び２７を有する。これらの突部の外側面は第１０図に示すように外ダイ１０のスカート部分２５の内面と接触するように設けられる。
　第９図及び第１０図に示すように、内ダイ１１の突部２６及び２７間に２つの通路２８が形成される。第９図にはそれらの通路の一方のみが見られる。
　第１０図に２９を付して示すように２つのダイのスカート部分２４及び２５間に環状スペースが形成される。
　内ダイ１１が第１０図に示すように外ダイ１０に装着されると、両ダイ１０及び１１間にチャンバ３０が画定される。該チャンバ３０は内ダイ１１の面１９、段部２０及び突部２１並びに外ダイ１０の端壁の内面によって限定されている。特に第９図に見られるように、チャンバ３０は突部２６及び２７間に形成された通路２８並びに突部２１及び段部２０間に形成された通路２２及び２３を介して環状スペース２９と連絡している。
　内ダイ１１は第９図及び第１０図に示すように３１を付して示す押し出しオリフィスを有し、該オリフィスの形状は押し出ししょうとするウエザーストリップの定着形材部２の断面形状、従って外ダイ１０のオリフィス１５の主開口１６の形状に対応した形状とされる。２つのダイは組み合わされると、内ダイ１１のオリフィス３１は第１０図に示すように外ダイ１０のオリフィス１５の主開口１６と一直線上に並べられる。外ダイ１０のオリフィスのアーム１７はチャンバ３０の境界を成すダイ壁部分に形成される。
　可動部材１２はガイド１３及び１４間で所定方向に摺動させて装着される。そのような方向は第８図及び第１０図中１２ａを付して示すように可動部材１２の一方の面が外ダイ１０のオリフィスのアーム１７を遮断し得るような方向である。
　可動部材１２の外ダイ１０に対向する面に押し出しオリフィス３２が形成され、該押し出しオリフィス３２は封止形材部４の壁部の末端円弧部分に対応した円弧形状を有するとともに、特に第８図及び第９図に見られるように可動部材１２の一端面１２ａで終端している。チャンバ３３が第８図及び第１０図に示すように可動部材１２に形成されるとともに押し出しオリフィス３２及び該可動部材１２の外ダイ１０と対向する面に形成された開口３４を介して連絡している。
　操作にあたり、固体エラストマー材料が内ダイ１１に供給され、内ダイ１１のオリフィス３１及び外ダイ１０のオリフィス１５の主開口１６を介して押し出される。同時に、当該定着形材部の強化部を構成する金属コアが固体エラストマー材料と一緒に公知の方法により開口を介して押し出される。
　同時に、気泡エラストマー材料は２つのダイ間の環状空間２９に供給されてチャンバー３０に到達し、次いで外ダイ１０の押し出しオリフィスのアーム１７における、可動部材１２により遮断されない部分を通して押し出される。両アーム１７の遮断されない部分から現れる気泡エラストマー材料はオリフィス１５の主開口１６から現れる押し出し材料にそれらの可塑性に基づき溶着され、ウエザーストリップの封止形材部の両側壁を構成する。
　また、同時に、気泡エラストマー材料が開口３４を介して可動部材１２のチャンバー３３を介して供給される。この材料はオリフィス３２を介して押し出されて管状封止形材部の湾曲近接端部を形成する。押し出しオリフィス３２から現れる押し出し物の長手端部が外ダイ１０のオリフィス１５のアーム１７から現れる押し出し物の対応端部と溶着される。
　外ダイ１０のオリフィス１５に対し可動部材１２の位置を図示しない公知の形式の操作および制御手段を介して調節して変化させることにより、ウエザーストリップの封止形材部の両側壁の高さを種々に変えることが出来る。公知の方法で、所定圧力をもってガスが押し出し機から現れる管状封止形材部内に吹き込むことにより全体として当該形材の圧潰を防止し、当該押し出し機から押し出された際、依然可塑状態とされる。ガス流は、外ダイ１０のオリフィス１５のアーム１７のほぼ全体が遮蔽される場合であっても封止形材部にほぼ円形となるようにたすける作用を行い、よって当該封止形材部は最大横断寸法を得られるようになっている。
　第１１図は上述した押し出し機の変形例を示す。この変形例によれば、可動部材１２にオリフィス３２のブランチ３２ａを設けて当該封止形材部から外方に突出するさらに幾つかのタブの形成が可能とされる。該ブランチ３２ａは可動部材１２の外面上の２つのガイド５１、５２間で可動とされる閉鎖具５０を介してその伸び具合が可変とされる。これによりブランチ３２ａは部分的に又は完全に遮蔽可能とされる。この閉鎖具５０は公知の方法で図示しない操作具により制御される。
　可動部材１２におけるオリフィス３２に、第１１図に示すと同様の方法で数個の外ブランチを設け、これにより封止形材部の長手方向に沿って選定された位置に対応する複数のタブを形成するようにしてもよい。
　以上、本発明の実施例として、曲げ加工する前にほぼ平坦状定着形材部を有するウエザーストリップについて説明したが、それに限らず本発明は他の断面形状の定着形材部を有するウエザーストリップに拡張するとともにそのようなウエザーストリップの製造に適用される押し出しヘッドに拡張することができることは明らかなことである。
　又、本発明は気泡材料で成る管状封止形材部を有するウエザーストリップに限定するものではない。
【図面の簡単な説明】
　第１図及び第２図はともに従来例のウエザーストリップを示す図、
　第３図及び第４図はともに従来例のウエザーストリップを自動車の車体のアクセス開口縁部のコーナー部に取り付けられた状態を示す図、
　第５図は本発明のウエザーストリップの斜視図、
　第６図及び第７図はそれぞれ第５図のウエザーストリップのＶＩ−ＶＩ線及びＶＩＩ−ＶＩＩ線断面図、
　第８図は第５図〜第７図に示す型式の本発明のウエザーストリップの製造に適用できる押し出しヘッドの斜視図、
　第９図は第８図の押し出しヘッドの分解斜視図、
　第１０図は第８図のＸ−Ｘ線断面図、及び
　第１１図は第８図〜第１０図に示す押し出しヘッドの変形例の斜視図である。
　１…ウエザーストリップ、
　２…平坦状定着形材部、３…金属コア、
　４…管状封止形材部、５…車体の開口縁部分、
　１０…外ダイ、１１…内ダイ、１２…可動部材、
　１５…押し出しオリフィス、１６…主開口、
　１７…オリフィスのアーム、２０…段部、
　２１…円弧状突部、２２、２３…通路、
　２６、２７…突部、２８…通路、
　２９…環状スペース、３０…チャンバ、
　３１、３２…押し出しオリフィス、
　３２ａ…ブランチ、３３…チャンバ、
　３４…開口、５０…閉鎖具。